(57)【要約】【課題】レンズを小型化しつつ確実にレーザを接合部分に照射することのできるレンズユニット及びその製造方法を提供する。【解決手段】透明な樹脂材からなるレンズ１と、レンズ１を納める鏡筒２とからなり、レンズ１は光学的に機能するレンズ面１０と、レンズ面１０の周囲部に形成され鏡筒２の内周面２０ａに保持される鍔部１１とを有してなり、鍔部１１は鏡筒２の内周面２０ａに当接する外周面部１３ａと、外周面部１３ａと対向しレンズ面１０側に面する内周面部１３ｂとを備え、内周面部１３ｂはレンズ面１０側端部から鍔部１１の先端側端部に向かって内周径が大きくなる方向の傾斜面状に形成されると共に、鍔部１１の外周面部１３ａと鏡筒２の内周面２０ａはレーザ接合されてなる。【選択図】図１
2009186699.tif 000002
【特許請求の範囲】
【請求項１】
透明な樹脂材からなるレンズと、該レンズを納める鏡筒とからなるレンズユニットにおいて、
前記レンズは光学的に機能するレンズ面と、該レンズ面の周囲部に形成され前記鏡筒の内周面に保持される鍔部とを有してなり、該鍔部は前記鏡筒の内周面に当接する外周面部と、該外周面部と対向し前記レンズ面側に面する内周面部とを備え、該内周面部は前記レンズ面側端部から前記鍔部の先端側端部に向かって内周径が大きくなる方向の傾斜面状に形成されると共に、前記鍔部の外周面部と鏡筒の内周面はレーザ接合されてなることを特徴とするレンズユニット。
【請求項２】
前記鏡筒の内周面及び該内周面に当接する前記鍔部の外周面部は前記鍔部の内周面部と略平行な傾斜面状に形成されることを特徴とする請求項１記載のレンズユニット。
【請求項３】
前記鍔部の内周面部は、該内周面部の法線でかつ前記鍔部の外周面部と鏡筒の内周面がレーザ接合される位置を通る仮想線が、前記レンズ面と交差しないような傾斜角度を有することを特徴とする請求項１または２記載のレンズユニット。
【請求項４】
透明な樹脂材からなるレンズと、該レンズを納める鏡筒とからなるレンズユニットの製造方法において、
前記レンズには光学的に機能するレンズ面と、該レンズ面の周囲部に設けられ前記鏡筒の内周面に保持される鍔部とを形成し、該鍔部には前記鏡筒の内周面に当接する外周面部と、該外周面部と対向し前記レンズ面側に面する内周面部とを形成すると共に、該内周面部を前記レンズ面側端部から前記鍔部の先端側端部に向かって内周径が大きくなる方向の傾斜面状に形成し、
前記レンズを前記鏡筒内に納め、前記鍔部の内周面部に対して略垂直方向からレーザ光を照射し、前記鍔部の外周面部と鏡筒の内周面とをレーザ接合することを特徴とするレンズユニットの製造方法。
【請求項５】
前記鏡筒の内周面及び該内周面に当接する前記鍔部の外周面部を前記鍔部の内周面部と略平行な傾斜面状に形成することを特徴とする請求項４記載のレンズユニットの製造方法。
【発明の詳細な説明】
【技術分野】
【０００１】
本発明は、樹脂製のレンズを鏡筒に納めてなるレンズユニット及びその製造方法に関し、特にレンズと鏡筒をレーザ接合により固定してなるレンズユニット及びその製造方法に関する。
【背景技術】
【０００２】
従来、カメラモジュール等に組み込まれるレンズとして、ＣＯＰ樹脂等の樹脂材によって形成されたレンズが用いられている。レンズは、機器内において位置決め固定するために、鏡筒によって保持されてレンズユニットを構成する。このため、レンズには光学的に機能するレンズ面の周囲部に鍔部が形成され、この鍔部が鏡筒の内周面に当接し固定されることで、鏡筒とレンズとが一体化されている。鏡筒とレンズとの一体化は、接着剤によって接着固定することが一般的に行われているが、レーザを用いた接合によるものも知られている。このようなレンズユニットとしては、例えば特許文献１に挙げるようなものがある。
【特許文献１】特開２００６−１１２３４号公報
【発明の開示】
【発明が解決しようとする課題】
【０００３】
鏡筒とレンズとをレーザ接合により一体化する従来のレンズユニットは、レンズに形成された鍔部の上下面を鏡筒の内周面から内周方向に突出するよう形成された突出部に当接させ、レンズの光軸方向からレーザを照射して接合を行うものであった。この場合、接合幅を確保するためにレンズの鍔部がある程度の大きさを有している必要がある。これによってレンズユニットが大型化するという問題点を有していた。
【０００４】
本発明は前記課題を鑑みてなされたものであり、レンズを小型化しつつ確実にレーザを接合部分に照射することのできるレンズユニット及びその製造方法を提供することを目的とする。
【課題を解決するための手段】
【０００５】
前記課題を解決するため、本発明に係るレンズユニットは、透明な樹脂材からなるレンズと、該レンズを納める鏡筒とからなるレンズユニットにおいて、
前記レンズは光学的に機能するレンズ面と、該レンズ面の周囲部に形成され前記鏡筒の内周面に保持される鍔部とを有してなり、該鍔部は前記鏡筒の内周面に当接する外周面部と、該外周面部と対向し前記レンズ面側に面する内周面部とを備え、該内周面部は前記レンズ面側端部から前記鍔部の先端側端部に向かって内周径が大きくなる方向の傾斜面状に形成されると共に、前記鍔部の外周面部と鏡筒の内周面はレーザ接合されてなることを特徴として構成されている。
【０００６】
また、本発明に係るレンズユニットは、前記鏡筒の内周面及び該内周面に当接する前記鍔部の外周面部は前記鍔部の内周面部と略平行な傾斜面状に形成されることを特徴として構成されている。
【０００７】
さらに、本発明に係るレンズユニットは、前記鍔部の内周面部は、該内周面部の法線でかつ前記鍔部の外周面部と鏡筒の内周面がレーザ接合される位置を通る仮想線が、前記レンズ面と交差しないような傾斜角度を有することを特徴として構成されている。
【０００８】
さらにまた、本発明に係るレンズユニットの製造方法は、透明な樹脂材からなるレンズと、該レンズを納める鏡筒とからなるレンズユニットの製造方法において、
前記レンズには光学的に機能するレンズ面と、該レンズ面の周囲部に設けられ前記鏡筒の内周面に保持される鍔部とを形成し、該鍔部には前記鏡筒の内周面に当接する外周面部と、該外周面部と対向し前記レンズ面側に面する内周面部とを形成すると共に、該内周面部を前記レンズ面側端部から前記鍔部の先端側端部に向かって内周径が大きくなる方向の傾斜面状に形成し、
前記レンズを前記鏡筒内に納め、前記鍔部の内周面部に対して略垂直方向からレーザ光を照射し、前記鍔部の外周面部と鏡筒の内周面とをレーザ接合することを特徴として構成されている。
【０００９】
そして、本発明に係るレンズユニットの製造方法は、前記鏡筒の内周面及び該内周面に当接する前記鍔部の外周面部を前記鍔部の内周面部と略平行な傾斜面状に形成することを特徴として構成されている。
【発明の効果】
【００１０】
本発明に係るレンズユニットによれば、レンズはレンズ面と鍔部とを有し、鍔部は鏡筒の内周面に当接する外周面部と、外周面部と対向しレンズ面側に面する内周面部とを備え、内周面部はレンズ面側端部から鍔部の先端側端部に向かって内周径が大きくなる方向の傾斜面状に形成されると共に、鍔部の外周面部と鏡筒の内周面はレーザ接合されてなることにより、レンズと鏡筒を周面で接合することができ、レーザ接合しながらも径方向の小型化を図ることができると共に、レーザ光を鍔部の内周面部と垂直な傾斜方向から照射することができるので、レンズを光軸方向に大きくすることなくレーザによる充分な加熱幅をとることができ、光軸方向の小型化をも図ることができる。
【００１１】
また、本発明に係るレンズユニットによれば、鏡筒の内周面及び鍔部の外周面部は鍔部の内周面部と略平行な傾斜面状に形成されることにより、接合部分をレーザ光の方向に向けることができ、より効率よく加熱を行うことができる。
【００１２】
さらに、本発明に係るレンズユニットによれば、鍔部の内周面部は、内周面部の法線でかつ鍔部の外周面部と鏡筒の内周面がレーザ接合される位置を通る仮想線が、レンズ面と交差しないような傾斜角度を有することにより、レーザ光をレンズ面と干渉することなく確実に接合部分に照射することができる。
【００１３】
さらにまた、本発明に係るレンズユニットの製造方法によれば、レンズにはレンズ面と鍔部とを形成し、鍔部には外周面部と内周面部とを形成すると共に、内周面部をレンズ面側端部から鍔部の先端側端部に向かって内周径が大きくなる方向の傾斜面状に形成し、レンズを鏡筒内に納め、鍔部の内周面部に対して略垂直方向からレーザ光を照射し、鍔部の外周面部と鏡筒の内周面とをレーザ接合することにより、レンズと鏡筒を周面で接合することができ、レーザ接合しながらもレンズユニットの径方向の小型化を図ることができると共に、レーザ光を鍔部の内周面部と垂直な傾斜方向から照射することができるので、レンズを光軸方向に大きくすることなくレーザによる充分な加熱幅をとることができ、レンズユニットの光軸方向の小型化をも図ることができる。
【００１４】
そして、本発明に係るレンズユニットの製造方法によれば、鏡筒の内周面及び該内周面に当接する鍔部の外周面部を鍔部の内周面部と略平行な傾斜面状に形成することにより、接合部分をレーザ光の方向に向けることができ、より効率よく加熱を行うことができる。
【発明を実施するための最良の形態】
【００１５】
本発明の実施形態について、図面に沿って詳細に説明する。図１には、本実施形態におけるレンズユニットの断面図を示している。なお、図１はレンズユニットの断面図のうち右半分のみを示している。この図に示すように本実施形態におけるレンズユニットは、レンズ１を鏡筒２で保持し一体化してなるように構成されている。
【００１６】
レンズ１は、透明な樹脂材によって形成されており、中央部が光学的に機能するレンズ面１０として構成され、その周囲部には鏡筒２に対して当接し保持されるための鍔部１１が形成されている。鏡筒２は、非透明な樹脂材によって形成されており、鍔部１１の周面を保持する周面部２０と、周面部２０の一端から内周側に向かって延びるように形成された平面部２１とからなっている。
【００１７】
レンズ１の鍔部１１は、鏡筒２の周面部２０に当接し保持される周面保持部１３と、鏡筒２の平面部２１に当接し保持される突出部１４とを有している。周面保持部１３の外周面１３ａは、鏡筒２の周面部２０の内周面２０ａに当接している。一方で周面保持部１３の内周面１３ｂは、外周面１３ａと対向し、かつレンズ面１０側に面している。
【００１８】
周面保持部１３の内周面１３ｂは、レンズ面１０側の端部から鍔部１１の先端部にかけて傾斜状となるように形成されている。具体的には、レンズ面１０側端部から鍔部１１の先端側端部に向かって、内周面１３ｂの内周径が大きくなる方向の傾斜面状に形成されている。これにより、内周面１３ｂはレンズ面１０側でかつ図中やや斜め上方に向かって面するようになっている。
【００１９】
レンズ１の周面保持部１３と鏡筒２の周面部２０は、接合部３０により接合固定されている。接合部３０は、レーザ接合により、鏡筒２の周面部２０の内周面２０ａがレンズ１の周面保持部１３側と接合された状態となっており、これによってレンズ１と鏡筒２とを固定している。
【００２０】
接合部３０を形成するためのレーザ光は、図１の仮想線３に沿って照射される。仮想線３は、レンズ１の周面保持部１３の内周面１３ｂに対して垂直となる当該内周面１３ｂの法線であって、接合部３０の位置を通る線である。仮想線３は、内周面１３ｂの法線であることから、その傾斜角度によってその角度が決まり、内周面１３ｂの傾斜角度は仮想線３がレンズ面１０と交差しないように設定される。これによりレーザ光を、レンズ面１０と干渉することなく、透明なレンズ１の周面保持部１３を介して、接合部３０となる鏡筒２の内周面２０ａに照射することができる。
【００２１】
レーザ光は、傾斜状に形成されたレンズ１の周面保持部１３の内周面１３ｂに対して略垂直に入射するように、レンズユニットに対して傾斜状に照射されるので、レーザ光がレンズ１の周面保持部１３に入射し反射することによる損失を最低限に抑えることができ、確実に鏡筒２の内周面２０ａを加熱して溶融させることができる。例えば鏡筒２はポリカーボネートで、レンズ１をアクリル樹脂とすることにより、これらをレーザ光の照射により溶着させ接合することができる。
【００２２】
このようなレンズユニットを製造するには、予め樹脂成形によりレンズ面１０及び鍔部１１を有したレンズ１を形成すると共に、レンズ１を納められるように鏡筒２を形成しておき、レンズ１を鏡筒２内に納め、鍔部１１の内周面１３ｂに対して略垂直方向となる仮想線３に沿ってレーザ光を照射し、鍔部１１の外周面１３ａと鏡筒２の内周面２０ａとをレーザ接合することにより接合部３０を形成する。これによってレンズ１と鏡筒２とを一体化し、本実施形態のレンズユニットを完成する。
【００２３】
このように、レンズ１と鏡筒２を周面でレーザ接合するようにしたので、レンズ１を径方向に大きくすることなく確実に鏡筒２と接合させることができ、レンズユニットの径方向における小型化を図ることができる。
【００２４】
図２には鍔部１１の内周面１３ｂが傾斜していない場合におけるレンズユニットの断面図を示している。この図に示すように、鍔部１１の内周面１３ｂが傾斜していない場合には、内周面１３ｂに対して垂直な方向、すなわちレンズ１の径方向と平行な方向にレーザ光を照射することとなる。この場合には、レーザ光による加熱幅を充分にとるため、鍔部１１及びそれを保持する鏡筒２を、光軸方向に長く形成する必要があり、レンズユニットの薄型化を阻害することとなる。本発明のレンズユニットは、鍔部１１の内周面１３ｂが傾斜状に形成されていることにより、レーザ光をレンズユニットに対して傾斜した方向から照射することができ、レンズ１の鍔部１１と鏡筒２を光軸方向に長くしなくても、充分な加熱幅をとることができるので、レンズユニットの光軸方向における小型化、すなわち薄型化を図ることができる。
【００２５】
次に、本発明の第２の実施形態について説明する。図３には、本実施形態におけるレンズユニットの断面図を示している。本実施形態のレンズユニットの構成は、第１の実施形態のレンズユニットと概ね共通するので、当該共通する点についての説明は省略する。
【００２６】
図３に示すように、レンズ１の周面保持部１３の外周面１３ａは、周面保持部１３の内周面１３ｂと平行となるような傾斜面状に形成されている。また、周面保持部１３の外周面１３ａが当接する鏡筒２の内周面２０ａも、周面保持部１３の内周面１３ｂと平行となるような傾斜面状に形成されている。レーザ光が照射される向きを示す仮想線３は、第１の実施形態と同様である。
【００２７】
本実施形態のレンズユニットは、図３に示すような構成を有していることにより、接合部３０がレーザ光に対して略垂直となるため、接合部３０におけるレーザ光の反射を低減することができ、より効率よくレーザ光により加熱して接合を行うことができる。
【００２８】
以上、本発明の実施形態について説明したが、本発明の適用はこれら実施形態には限られず、その技術的思想の範囲内において様々に適用されうるものである。例えば、これら実施形態においては、レンズ１が鏡筒２に１枚納められたものについて示したが、複数枚のレンズ１が鏡筒２に納められるものについても、本発明を適用することができる。
【図面の簡単な説明】
【００２９】
【図１】第１の実施形態におけるレンズユニットの断面図である。
【図２】鍔部の内周面が傾斜していない場合におけるレンズユニットの断面図である。
【図３】第２の実施形態におけるレンズユニットの断面図である。
【符号の説明】
【００３０】
１    レンズ
２    鏡筒
１０    レンズ面
１１    鍔部
１３    周面保持部
１３ａ  外周面
１３ｂ  内周面
１４    突出部
２０    周面部
２０ａ  内周面
２１    平面部
３０    接合部
【図１】
2009186699.tif 000003
【図２】
2009186699.tif 000004
【図３】
2009186699.tif 000005